(57)【特許請求の範囲】
【請求項１】
ヒンジ（５２）によってＶ字形に開く左右一対の箱体（５１ａ、５１ｂ）からなる矩形の金属製の収容ケース（５１）と、この収容ケース（５１）に対して着脱可能で、収容ケース（５１）内に収容されるコンロ本体（５３）と、上記左右の箱体（５１ａ、５１ｂ）をＶ字形に開いた状態で立てる脚部（５４）とを備え、
コンロの不使用時に、上記収容ケース（５１）内に上記コンロ本体（５３）を収容して、上記左右一対の箱体（５１ａ、５１ｂ）を閉じる一方で、
コンロの使用時に、Ｖ字形に開かれた上記左右の箱体（５１ａ、５１ｂ）の上辺を、鍋等を載置する五徳部（５９）として用いる携帯用ガスコンロ。
【請求項２】
コンロ本体（５３）に固定板（５８）を設け、この固定板（５８）を上記収容ケース（５１）に形成した固定部（５７）に嵌め込み、上記左右の箱体（５１ａ、５１ｂ）がＶ字形に開かれた状態に保持するようにした請求項１に記載の携帯用ガスコンロ。
【請求項３】
上記脚部（５４）を、Ｖ字形に開かれた左右の箱体（５１ａ、５１ｂ）とによって、Ｍ字形に開くように、左右の箱体（５１ａ、５１ｂ）の上辺に開閉可能に設けた請求項１又は２に記載の携帯用ガスコンロ。
【請求項４】
コンロ本体（５３）の燃焼部（５６）の側方に、この燃焼部（５６）からの熱がカセットボンベ（１）に伝わるのを防止する遮熱板（６０）を折り畳み可能に設けた請求項１乃至３のいずれかに記載の携帯用ガスコンロ。
【請求項５】
カセットボンベ（１）の開栓バルブ（３）に被せる開栓筒（２１）と、上記カセットボンベ（１）の頭部（２）に設けられた装着用のリング（４）外面で、一直線状に揃った状態から十字形に開くように、互いに中央部分で回動可能に組み合わされている扁平形状の一対のアーム部材（２３、２４）とからなり、上記一方のアーム部材（２３）に、その中央部に、開栓筒（２１）と同形状の底部（２５ａ）と、この底部（２５ａ）から起立する一対の固定壁（２５ｂ）とからなる開栓筒保持部（２５）を設け、この開栓筒保持部（２５）の固定壁（２５ｂ）の先端外面に、上記カセットボンベ（１）の頭部凹部（２）の内周面に形成された係止段部（１０）に引っ掛かる割り爪部（２７）を形成し、上記他方のアーム部材（２４）の中央部に、上記開栓筒保持部（２５）が回転可能に嵌まる凹所（２８）を設け、この他方のアーム部材（２４）の凹所（２８）に、一方のアーム部材（２３）の開栓筒保持部（２５）を嵌め入れて組み合わせた上記一対のアーム部材（２３、２４）の中央部分に、バーナーやコンロなどの器具の燃焼部（５６）に接続される接続筒（３２）を貫通させる貫通孔（３３）を形成し、この貫通孔（３３）を通して、器具の接続筒（３２）と開栓筒（２１）とを接続し、上記器具の接続筒（３２）の先端に、左右に突き出すロック部（３５）を形成し、このロック部（３５）の通過孔（３６）を、上記一対のアーム部材（２３、２４）の中央部分に形成した貫通孔（３３）に連続して形成し、上記一対のアーム部材（２３、２４）を一直線状に揃えた状態で器具とカセットボンベ（１）とを押し付けて、カセットボンベ（１）の頭部凹部（２）の内周面に形成した段部（１０）に、アーム部材（２３）の開栓筒保持部（２５）の割り爪部（２７）を引っ掛け、器具の接続筒（３２）のロック部（３５）を、一対のアーム部材（２３、２４）の中央部分に形成した通過孔（３６）を通過させた状態で、一対のアーム部材（２３、２４）を十字形に開き、ロック部（３５）をアーム部材（２３）に形成した開栓筒保持部（２５）の底部（２５ａ）の内側に位置させて一対のアーム部材（２３、２４）とカセットボンベ（１）とを固定することを特徴とするカセットボンベ装着装置を、上記コンロ本体（５３）の端部に備える請求項１乃至４のいずれかに記載の携帯用ガスコンロ。
【発明の詳細な説明】
【０００１】
【発明の属する技術分野】
この発明は、液化ブタン等が充填されたカセットボンベを燃料とする携帯用コンロに関するものである。またこの発明は、コンパクトに折畳むことができる携帯に便利な携帯用ガスコンロに関するものである。
【０００２】
【従来の技術とその課題】
従来、ガスを燃料とする携帯用のガスコンロは、種々あっても未だポケットに簡単に収容するほどコンパクトなものはない。
【０００３】
その理由の一つは、コンパクトにすると、使用中に下方のテーブルなどへの遮熱を行いにくいという問題である。
【０００４】
また、液化ブタン等が充填されたカセットボンベを燃料とするバーナーやコンロなどの器具の端部には、カセットボンベを装着するために、装着キャップが設置されているが、バーナーやコンロなどの器具に設けられる装着キャップは、カセットボンベの頭部の凹部端面に設けられたリングに被せられるため、装着キャップの大きさが、カセットボンベ頭部のリングよりも大きくなる。このため、装着キャップの径よりも厚みの薄いコンパクトな携帯用コンロは、製作できないとされていた。
【０００５】
そこで、この発明は、従来の携帯用のガスコンロよりも格段に薄くて、ポケットに容易に収容することができ、しかも、使用する際には、下方への熱を遮断して、テーブルなどを焦がさない安全性に優れた携帯用ガスコンロを得ようとするものである。
【０００６】
【課題を解決するための手段】
この発明に係る携帯用ガスコンロは、ヒンジによってＶ字形に開く左右一対の箱体からなる矩形の金属製の収容ケースと、この収容ケースに対して着脱可能で、収容ケース内に収容されるコンロ本体と、上記左右の箱体をＶ字形に開いた状態で立てる脚部とを備え、
コンロの不使用時に、上記収容ケース内に上記コンロ本体を収容して、上記左右一対の箱体を閉じる一方で、コンロの使用時に、Ｖ字形に開かれた上記左右の箱体の上辺を、鍋等を載置する五徳部として用いるようにしている。
【０００７】
Ｖ字形に開いた左右の箱体にコンロ本体を取り付けると、左右の箱体が遮熱板になると共に、上方に熱を反射するので、熱効率がよい。また、開いたＶ字形の箱体の上辺にそのまま鍋等を載置することができるので、五徳などを別途用意する必要がなく、携帯用ガスコンロの大きさをコンパクトにできる。
【０００８】
また、Ｖ字形に開いた左右の箱体は、風防として作用する。
【０００９】
さらに、上記コンロ本体の端部に設置するカセットボンベ装着装置を、次のような構造にすることにより、より厚さの薄い携帯用ガスコンロを得ることができる。
【００１０】
即ち、カセットボンベ装着装置は、カセットボンベの頭部の開栓バルブに被せる開栓筒と、カセットボンベの頭部の装着用リングの外面で、一直線状に揃った状態から十字形に開くように、互いに中央部分で回動可能に組み合わされている扁平形状の一対のアーム部材とからなる。上記一方のアーム部材には、その中央部に、開栓筒と同形状の底部と、この底部から起立する一対の固定壁とからなる開栓筒保持部を設けている。この開栓筒保持部の固定壁の先端外面には、カセットボンベの頭部凹部の内周面に形成された段部に引っ掛かる割り爪部を形成している。上記他方のアーム部材の中央部には、上記開栓筒保持部が回転可能に嵌まる凹所を設けている。上記一対のアーム部材の中央部分には、コンロ本体の燃焼部に接続される接続筒を貫通させる貫通孔を形成し、この貫通孔を通して接続筒と開栓筒とを接続している。上記コンロ本体の接続筒の先端には、左右に突き出すロック部が形成され、このロック部の通過孔を、上記一対のアーム部材の中央部分に形成した貫通孔に連続して形成している。
【００１１】
上記一対のアーム部材を一直線状に揃え、開栓筒を開栓筒保持部の底側に位置させた状態で、カセットボンベの頭部凹部の内周面に形成された段部に、アーム部材の開栓筒保持部の割り爪部を嵌め入れる。この後、コンロ本体とカセットボンベとを押し付けて、開栓筒を開栓筒保持部の割り爪部側に位置させて、接続筒のロック部を、一対のアーム部材の中央部分に形成した通過孔を通過させた状態で、一対のアーム部材を十字形に開くと、ロック部がアーム部材に形成した開栓筒保持部の底部の内側に位置し、開栓筒が開栓筒保持部の割り爪部側に位置させた状態に保持され、 一対のアーム部材とカセットボンベとが固定される。
【００１２】
上記のカセットボンベ装着装置は、装着前の状態では、一対の装着用のアーム部材を一直線状に揃えておくことができるので、より厚さの薄い携帯用ガスコンロが得られる
【００１３】
【発明の実施の形態】
この発明に係る携帯用ガスコンロの実施形態について説明する。
【００１４】
この携帯用ガスコンロは、図１に示すように、ヒンジ５２によってＶ字形に開く左右一対の箱体５１ａ、５１ｂからなる矩形の金属製の収容ケース５１と、この収容ケース５１内に収容されるコンロ本体５３とからなる。
【００１５】
箱体５１ａ、５１ｂには、Ｖ字形の箱体５１ａ、５１ｂを間にしてＭ字形を形成するように開かれる脚部５４を、左右一対の箱体５１ａ、５１ｂに設けている。上記左右一対の箱体５１ａ、５１ｂの端面壁の上端には、上記脚部５４の開きを止める当り部５５を設けている。
【００１６】
Ｖ字形に開かれた左右の箱体５１ａ、５１ｂの端壁の下方よりには、コンロ本体５３を着脱可能に固定する固定部５７が設けられている。この固定部５７は、板バネによって形成されている。そして、コンロ本体５３には、燃焼部５６と、カセットボンベ装着装置２０との間に、固定部５７に挿し込む固定板５８が設けられている。
【００１７】
上記収容ケース５１の箱体５１ａ、５１ｂの上辺には、爪形の五徳部５９が設けられている。また、図２に示すように、五徳部５９に、補助五徳６３を着脱可能に設けるようにしてもよい。
【００１８】
上記コンロ本体５３の燃焼部５６の側方には、遮熱板６０が、燃焼部５６に重なる位置に閉じ、カセットボンベ１側に開くように設けられている。
【００１９】
上記コンロ本体５３には、バルブの開閉ハンドル６１が、 折り畳み可能に設けられている。
【００２０】
また、コンロ本体５３には、着火用の圧電ユニット６２が設置されている。
【００２１】
次に、この発明に係る携帯用ガスコンロに使用するカセットボンベ装着装置２０について説明する。
【００２２】
カセットボンベ１は、液化ブタン等が充填され、頭部凹部２の中央に開栓バルブ３を有し、かつ頭部凹部２の端面にリング４を備え、このリング４には、装着位置を示す位置決め用の切り欠き部４ａが形成されている。
【００２３】
カセットボンベ装着装置２０は、上記カセットボンベ１の開栓バルブ３に被せる開栓筒２１と、上記カセットボンベ１のリング４外面で、一直線状に揃った状態から十字形に開くように、互いに中央部分で回動可能に組み合わされている扁平形状の一対のアーム部材２３、２４とからなる。
【００２４】
上記開栓筒２１は、その内周にパッキン４０が設けられている。開栓筒２１の外周面は、平行な垂直面部２１ａと、円弧面部２１ｂとからなる。
【００２５】
上記一対のアーム部材２３、２４の幅は、それぞれ上記開栓筒２１の平行な垂直面部２１ａの間隔と同じ幅に形成されている。
【００２６】
上記一方のアーム部材２３には、その中央部に、開栓筒２１と同形状の底部２５ａと、この底部２５ａから起立する一対の固定壁２５ｂとからなる開栓筒保持部２５が設けられている。この一対の固定壁２５ａの対向する面は、円弧面に形成され、この一対の固定壁２５ｂの内側に、上記開栓筒２１が、回転可能で、かつ軸方向にスライド可能に嵌められている。この開栓筒保持部２５の固定壁２５ｂの先端外面には、上記カセットボンベ１の頭部凹部２の内周面に形成された段部１０に引っ掛かる割り爪部２７が形成されている。また、このアーム部材２３の下面両端には、カセットボンベ１のリング４の外周面に引っ掛かる爪部２６が形成されている。
【００２７】
上記他方のアーム部材２４には、その中央部に、上記開栓筒保持部２５が回転可能に嵌まる凹所２８が設けられている。この他方のアーム部材２４の下面には、一端にカセットボンベ１のリング４の外周面に引っ掛かる爪部２９が、多端に上記カセットボンベ１の頭部のリングに形成した位置決め用の切り欠き部４ａに嵌まる回り止め部３０が形成されている。
【００２８】
互いに回動可能に組み合わされた上記一対のアーム部材２３、２４の中央部分には、コンロ本体５３に接続される接続筒３２を貫通させる貫通孔３３が形成されており、この貫通孔３３を通して、器具本体５０の接続筒３２と開栓筒２１とがビス３４によって固定されるようになっている。
【００２９】
上記器具の接続筒３２の先端には、左右に突き出すロック部３５が形成され、このロック部３５の通過孔３６が、上記一対のアーム部材２３、２４の中央部分に形成された貫通孔３３に連続して形成されている。
【００３０】
上記カセットボンベ装着装置２０によるカッセットボンベ１の装着は、次のようにして行われる。
【００３１】
まず、一対のアーム部材２３、２４は、カセットボンベ１を装着する前の状態において、図１０（ａ）、図１１に示すように、一直線状に揃え、開栓筒２１が凹んだ状態になっている。この状態で、一方のアーム部材２４に形成した回り止め部３０を、上記カセットボンベ１の頭部のリング４に形成した位置決め用の切り欠き部４ａに嵌め、器具本体５０をカセットボンベ１に押し付けて、図１１に示すように、カセットボンベ１の頭部凹部２の内周面に形成された段部１０に、アーム部材２３の開栓筒保持部２５の割り爪部２７を嵌め入れる。
【００３２】
そして、さらに、コンロ本体５３をカセットボンベ１に押し付けて、コンロ本体５３の接続筒３２のロック部３５を、一対のアーム部材２３、２４の中央部分に形成した通過孔３６を通過させ、図１２に示すように、開栓筒２１を、割り爪部２７の先端まで押し下げた状態で、カセットボンベ１又はコンロ本体５３を持って、図１３に示すように、一対のアーム部材２３、２４を十字形になるように開くと、ロック部３５が、アーム部材２３に形成した開栓筒保持部２５の底部２５ａに引っ掛かって、図１２に示すように、開栓筒２１が割り爪部２７の先端位置に保持されるので、割り爪部２７がカセットボンベ１の頭部凹部２の内周面の段部１０をから抜け出なくなる。
【００３３】
カセットボンベ１を外す場合には、一対のアーム部材２３、２４が、一直線の状態になるようにカセットボンベ１を回転させて揃え、開栓筒２１を割り爪部２７の先端側から後方側に引っ張り、この状態でカセットボンベ１の頭部に凹部２から開栓筒保持部２５を引き抜くようにする。
【００３４】
上記のように、カセットボンベ装着装置２０は、一対のアーム部材２３、２４からなり、カセットボンベ１に装着する前には、一直線状に揃えておくことができるので、収納ケース５１内に嵩張らずに収容することができる。
【００３５】
【発明の効果】
以上のように、この発明に係る携帯用ガスコンロは、ヒンジによってＶ字形に開く左右一対の箱体からなる矩形の金属製の収容ケースと、この収容ケースに対して着脱可能で、収容ケース内に収容されるコンロ本体とからなり、Ｖ字形に開いた左右の箱体にコンロ本体を取り付けることにより、左右の箱体が遮熱板になると共に、上方に熱を反射するので、熱効率がよい。また、開いたＶ字形の箱体の上辺にそのまま鍋等を載置することができるので、五徳などを別途用意する必要がなく、携帯用ガスコンロの大きさをコンパクトにできる。
【００３６】
また、Ｖ字形に開いた左右の箱体は、風防としての効果もある。
【００３７】
また、上記コンロ本体の端部に設置するカセットボンベ装着装置を、一直線状に揃えた一対のアーム部材を十字形に開いてカセットボンベの頭部のリングに装着する構造にすることにより、より厚さの薄い携帯用ガスコンロが得られる。
【図面の簡単な説明】
【図１】この発明に係る携帯用ガスコンロの分解斜視図
【図２】この発明に係る携帯用ガスコンロの使用状態を示す斜視図
【図３】収納ケースに収容した状態を示す斜視図
【図４】収納ケースに収容した状態を示す断面図
【図５】上記収納ケースを開いた状態を示す部分断面図
【図６】収納ケースの一部を示す平面図
【図７】カセットボンベを取り外した状態の上記携帯用ガスコンロの斜視図
【図８】この発明に使用するカセットボンベ装着装置の分解斜視図
【図９】（ａ）は、アーム部材の一方を示す斜視図、（ｂ）は、アーム部材の他方を示す斜視図
【図１０】この発明に係るカセットボンベ装着装置の組み立て状態を示す斜視図
【図１１】上記カセットボンベ装着装置の固定前の状態を示す平面図
【図１２】上記カセットボンベ装着装置の固定後の状態を示す平面図
【図１３】上記カセットボンベ装着装置の固定後の状態を示す側面図
【符号の説明】
１  カセットボンベ
２  凹部
３  開栓バルブ
４  リング
４ａ  位置決め用の切り欠き部
１０  段部
２０  カセットボンベ装着装置
２１  開栓筒
２１ａ  垂直面部
２１ｂ  弧面部
２３、２４  アーム部材
２５ａ  底部
２５ｂ  固定壁
２６  爪部
２７  割り爪部
２８  凹所
２９  爪部
３０  回り止め部
３２  接続筒
３３  貫通孔
３４  ビス
３５  ロック部
３６  通過孔
４０  パッキン
５１  収容ケース
５１ａ、５１ｂ  箱体
５２  ヒンジ
５３  コンロ本体
５４  脚部
５５  当り部
５６  燃焼部
５７  固定部
５８  固定板
５９  五徳部
６０  遮熱板
６１  開閉ハンドル
６２  圧電ユニット
６３  補助五徳
【図１】
0004340372.tif 000002
【図２】
0004340372.tif 000003
【図３】
0004340372.tif 000004
【図４】
0004340372.tif 000005
【図５】
0004340372.tif 000006
【図６】
0004340372.tif 000007
【図７】
0004340372.tif 000008
【図８】
0004340372.tif 000009
【図９】
0004340372.tif 000010
【図１０】
0004340372.tif 000011
【図１１】
0004340372.tif 000012
【図１２】
0004340372.tif 000013
【図１３】
0004340372.tif 000014